(57)【要約】【課題】材料や製造のコストを削減し、意匠的にも優れた階段。【解決手段】複数の合成樹脂製デッキ材３を配したデッキ床の端部と地上との間に設けられた２枚の側板１２の間に複数の踏板を配置固定した階段において、上記踏板１３を上記デッキ材３とこのデッキ材３の前端部に突合せられた金属製の補強踏板１８とから構成し、デッキ材３の前端下部には凹み部８を形成し、内部には金属製の補強芯材２４を配置し、補強踏板１８の後部には上記デッキ材の凹み部８に当接する突片２３を形成して、下方から突片２３、デッキ材３、補強芯材２４を一連にビス止め固定した。【選択図】図３
2010196417.tif 000002
【特許請求の範囲】
【請求項１】
複数の合成樹脂製デッキを配したデッキ床の端部と地上との間に設けられた２枚の側板の間に複数の踏板を配置固定した階段において、上記踏板は、上記デッキ材とこのデッキ材の前端部に突き合わせられた金属製の補強踏板とから構成し、上記デッキ材の前端下部には凹み部を形成して、内部には金属製の補強芯材を配置し、補強踏板の後部には上記デッキ材の凹み部に当接する突片を形成して、下方から突片、デッキ材、補強芯材を一連にビス止め固定したことを特徴とする階段。
【請求項２】
補強踏板の下面には、上記突片に対して屈曲して連続する下向き傾斜部が形成されていることを特徴とする請求項１に記載の階段。 
【請求項３】
上記デッキ材と補強踏板の下面を略面一にしたことを特徴とする、請求項１又は２に記載の階段。
【請求項４】
上記側板の上記各踏板に対応する部位の内側面にはＬ字形の支持部材を固定し、これらの支持部材の水平部に上記デッキ材と補強踏板とを載置固定したことを特徴とする、請求項１〜３のいずれかに記載の階段。
【発明の詳細な説明】
【技術分野】
【０００１】
本発明は、デッキにおいて用いられる踏板を利用した階段に関する。
【背景技術】
【０００２】
一般に、建物の庭まわりなどに合成樹脂製のデッキを配することが行われている。たとえば、規格の合成樹脂製のデッキ材によってデッキユニットを作っておき、これらのデッキユニットを組み合わせて並べることにより、屋外に大きなデッキ空間を造る技術が知られている（特許文献1参照）。また、デッキスペースは地上よりも高いところに設置されているため、デッキスペースに階段を設けることがある。
【０００３】
このように、デッキスペースに階段を設置する場合、各段の踏み面を専用の踏板によって構成する場合もあるが、合成樹脂製デッキの場合は、踏板も合成樹脂製とする場合は、デッキ材とは別の型を作る必要があるので、デッキ材を流用するのが一般的である。ところが、階段の昇降時には人などの荷重が加速度的に増加し、特に踏板の段鼻部分には大きな荷重が加わるから、かなりの強度が要求される。このため、従来は、合成樹脂製のデッキ材をアルミニウム又はその合金製の扁平な支持部材上に支持させ、この支持部材には、踏み面前部の段鼻部分に対応する部位に補強用の補強踏板を一体に形成する構成のものが知られている（特許文献２参照）。これによれば、踏板はデッキ材の前部に強度の高い補強踏板が増設されているとともに、踏み面全体の面積が大きくなったから、全体強度が高まり、人の昇降に十分に耐え得るものとなった。
【先行技術文献】
【特許文献】
【０００４】
【特許文献１】特開平７−２７９２４１号公報
【特許文献２】特開２００６−２９００４号公報
【発明の概要】
【発明が解決しようとする課題】
【０００５】
しかしながら、上述の支持部材は補強踏板と扁平な支持部とを一体化したアルミニウム又はその合金の押出型材であるから、多くの金属材料を必要とするほか、その金型もかなり大きくなるから、材料や生産にかかるコストが高いものにならざるを得ない。また、踏板の厚みは、デッキ材と支持部材の厚みを加えたものであるから、意匠的には必要以上に分厚く感じられ、デザインが損なわれるという問題があった。
【０００６】
本発明は上記問題点を解消し、材料や製造のコストを削減し、意匠的にも優れた階段を提供することをその課題とする。
【課題を解決するための手段】
【０００７】
上記課題を解決するため、請求項１に係る発明は、複数の合成樹脂製デッキを配したデッキ床の端部と地上との間に設けられた２枚の側板の間に複数の踏板を配置固定した階段において、上記踏板は、上記デッキ材とこのデッキ材の前端部に突き合わせられた金属製の補強踏板とから構成し、上記デッキ材の前端下部には凹み部を形成して、内部には金属製の補強芯材を配置し、補強踏板の後部には上記デッキ材の凹み部に当接する突片を形成して、下方から突片、デッキ材、補強芯材を一連にビス止め固定したことを特徴とする。
【０００８】
請求項２に係る発明は、請求項１において、補強踏板の下面には、上記突片に対して屈曲して連続する下向き傾斜部が形成されていることを特徴とする。 
請求項３に係る発明は、請求項１又は２において、上記デッキ材と補強踏板の下面を略面一にしたことを特徴とする。
【０００９】
請求項４に係る発明は、請求項１〜３のいずれかにおいて、上記側板の上記各踏板に対応する部位の内側面にはＬ字形の支持部材を固定し、これらの支持部材の水平部に上記デッキ材と補強踏板とを載置固定したことを特徴とする。
【発明の効果】
【００１０】
請求項１に係る発明によれば、踏板をデッキ材とこのデッキ材の前端部に突合せられた金属製の補強踏板とから構成し、デッキ材の内部には金属製の補強芯材を配置したので、デッキ材自体の強度が増し、またデッキ材の前端に形成された凹み部に補強踏板の後部に形成された突片を当接し、下方から突片、デッキ材、補強芯材を一連にビス止め固定したので、補強踏板はデッキ材と強固に固定される。このように、踏板はデッキ材の前端に補強踏板を結合した構成であり、従来のようにデッキ材の下部全体を支持する構成ではないから、補強踏板の金型も小さくて済み、また材料を削減することができるとともに、踏板全体が厚くなることがないから意匠的にも優れた階段を提供することができる。
【００１１】
デッキ材の補強芯材はデッキ材の内部に配置されているので、外観が損なわれることがない。
【００１２】
デッキ材の凹み部に補強踏板の突片を当接し、下方から突片、デッキ材、補強芯材を一連にビス止め固定したので、ビスの頭部は外部から視認されにくい。したがって、階段全体の外観が向上する。
【００１３】
請求項２に係る発明によれば、補強踏板の下面には、上記突片に対して屈曲して連続する下向き傾斜部が形成されているから、下方から突片、デッキ材、補強芯材を一連にビス止め固定する際の作業を容易に行うことができる。
【００１４】
請求項３に係る発明によれば、デッキ材と補強踏板の下面を略面一にしたから、踏板全体の高さを抑え、階段全体がスリムになったので、デザイン性が向上する。
【００１５】
請求項４に係る発明によれば、側板の内側面にはＬ字形の支持部材を固定し、これらの支持部材の水平部に上記デッキ材と補強踏板とを載置固定したから、デッキ材と補強踏板と補強芯材とをまとめて支持部材に固定することができる。
【図面の簡単な説明】
【００１６】
【図１】本発明に係る踏板を用いたデッキスペースの斜視図
【図２】上記デッキスペースと階段部分の側面図
【図３】図２の一部拡大図
【図４】上記デッキスペースの要部の平面図
【図５】側板の断面図
【発明を実施するための形態】
【００１７】
図１及び図２において符号Ａはデッキ床で、Ｂはデッキ用階段を示す。デッキ床Ａの周囲にはラティスフェンスＣが設けられている。図３は図２の拡大図である。
【００１８】
デッキ床Ａは支柱１の上に支持された側桁材２上に複数の合成樹脂製の押出型材からなるデッキ材３を水平に配したもので、各デッキ材３は図３に示されるように扁平で、互いに平行な上面部４と下面部５との間に複数の中空部６ａ、６ｂが並列状に設けられている。そして、両側の中空部６ａの間にある中空部６ｂは略方形に形成されているのに対し、両側の中空部６ａの外側端は、上部の垂直部７と、垂直部７の下部から下向きに連続形成された下向き傾斜部８と、下向き傾斜部８の下方に形成された下部垂直部９と、下部垂直部９の下端から外方に突出した固定片１０とから構成されている。
【００１９】
デッキ材３は側桁材２の上部に並べられ共通の取付金具２５によってビスで固定されている。側桁材２の端面と端部のデッキ材３は前桁材１１によって覆われている。
【００２０】
次に、階段は、デッキ床Ａの端部の前桁材１１と地上との間に設けられた２枚の側板１２と、これらの側板１２の間に配置固定された複数の踏板１３とによって構成されている。
【００２１】
側板１２はアルミニウム又はその合金製の押出型材からなる中空部材（図５参照）で、上端部は斜めに切断され、図３及び図４に示されるように、２つのＬ形取付金具１４ａ、１４ｂを介してデッキ床Ａの前桁材１１に固定されている。側板１２の踏板１３に対応する部位の内側面にはＬ字形の金属製支持部材１５の垂直部１５ａが固定され、内側には水平部１５ｂが突出している。なお、側板１２には図５に示されるように、その長手方向に沿ってガイド溝１６が形成され、支持部材１５の中央部の固定ボルト１７は上記ガイド溝１６からねじ込む。このように、固定ボルト１７の位置はガイド溝１６上のどこかに決まるので、踏板の取り付け位置を自由に設定することができる。
【００２２】
踏板１３は上記の合成樹脂製デッキ材３と金属製補強踏板１８とを一体的に結合したもので、補強踏板１８はアルミニウム又はその合金製の押出型材からなり、デッキ材３の1個の中空部６よりやや大きい程度で、断面は略方形であるが、その上面部２０には滑り止め２１を嵌合する嵌合溝２２が形成され、また、内側下部の角隅部には下向き傾斜部（凹み部）１９が形成され、さらに下向き傾斜部１９の上端から斜め下に傾斜する下向き突片２３が突出形成されている。滑り止め２１はゴムや合成樹脂から構成されている。
【００２３】
踏板１３を構成するデッキ材３の内部には金属製の補強芯材２４が配置されている。補強芯材２４はアルミニウム又はその合金製の押出型材からなり、デッキ材３の両側の中空部６ａの内形と略同じ外形を有し、デッキ材３の左右端部側の偏り位置に嵌合配置されている。補強芯材２４の長さは支持部材１５の水平部１５ｂの幅よりも少し長い程度でよい。なお、補強心材２４の形状は上述の形態に限定されない。
【００２４】
そして、デッキ材３と補強踏板１８とは、デッキ材３の前部に補強踏板１８を突合せ配置し、デッキ材３の前端に形成された下向き傾斜部８に補強踏板１８の後部に形成された下向き突片２３とを当接させ、下向き突片２３から下向き傾斜部８にビス止め固定することにより、一体的に結合している。これにより、デッキ材３と補強踏板１８の下面と上面とは略面一に形成されている。
【００２５】
次に、デッキ材３と補強踏板１８とを結合した踏板１３は、側板１２の支持部材１５の水平部１５ｂ上に載置され、ネジ止め固定されている。ネジは水平部１５ｂの下方から補強踏板１８に止着されるとともに、デッキ材３の両側の中空部６ａと補強芯材２４に止着されている。
【００２６】
補強踏板１８はデッキ材３の後端部に突合せることにより、同様にデッキ材３に固定することができる。このように、デッキ材３の前後に補強踏板１８を配することにより、踏み面を拡張することもできる。
【００２７】
なお、デッキ材３には水抜き孔２７を形成するのが好ましい。
【００２８】
上記構成によれば、踏板１３を上記デッキ材３とこのデッキ材３の前端部に突合せられた金属製の補強踏板１８とから構成し、デッキ材３の内部には金属製の補強芯材２４を配置したので、デッキ材３自体の強度が増し、またデッキ材３の前端に形成された下向き傾斜部８に補強踏板１８の後部に形成された下向き突片２３を当接し、下方から下向き突片２３、デッキ材３、補強芯材２４を一連にビス止め固定するので、また下から止められるので、取付作業を容易に行うことができるとともに、補強踏板１８はデッキ材３と強固に固定される。このように、踏板１３はデッキ材３の前端に補強踏板１８を結合した構成であり、従来のようにデッキ材３の下部全体を支持する構成ではないから、補強踏板１８の金型も小さくて済み、また材料を削減することができるとともに、踏板１３全体が厚くなることがないから意匠的にも優れた階段を提供することができる。
【００２９】
デッキ材３の補強芯材２４はデッキ材３の内部に配置されているので、外観が損なわれることがない。
【００３０】
デッキ材３の下向き傾斜部８に補強踏板１８の下向き突片２３を当接し、下向き突片２３から下向き傾斜部８にビス止め固定したので、ビスの頭部は外部から視認されにくい。したがって、階段全体の外観が向上する。
【００３１】
また、上記デッキ材３と補強踏板１８の下面を略面一にしたから、踏板１３全体の高さを抑え、階段全体がスリムになったので、デザイン性が向上する。
【００３２】
なお、デッキ材３と補強踏板１８との結合形態は、デッキ材３の前端に形成された下向き傾斜部８に補強踏板１８の後部に形成された下向き突片２３を当接してビス止めする構成に限定されない。例えば、デッキ材３には凹み部が形成されていればよく、凹み部の上面が下向きでなく水平で、これに対応して補強踏板１８の突片を水平に突出形成し、両方の水平部を当接して下からネジで固定する構成であってもよい。要するに、デッキ材の構造に合わせて補強踏板の構造を結合しやすいように形成すればよい。
【符号の説明】
【００３３】
３    デッキ材
８    下向き傾斜部
１２  側板
１３  踏板  
１８  補強踏板
２３  下向き突片
２４  補強芯材
【図１】
2010196417.tif 000003
【図２】
2010196417.tif 000004
【図３】
2010196417.tif 000005
【図４】
2010196417.tif 000006
【図５】
2010196417.tif 000007